(57)【要約】【課題】自動原稿搬送装置のＧＮＤを強化し、発生する静電気を効率よく除去して、コンタクトガラス等の開口部からの電波放射や、制御基板のＧＮＤの浮きによる電圧降下を防止した自動原稿搬送装置を提供する。【解決手段】セットした原稿を所定位置に搬送して排出する自動原稿搬送装置１であって、該自動原稿搬送装置１は、画像形成装置２本体上面に、該上面の一端面を支点として画像形成装置２上面に対し開閉自在に設置され、前記自動原稿装置フレーム１１の一部には導電性部材４ａが設けられ、閉時に前記自動原稿装置フレーム１１の一部と画像形成装置上面フレーム２１とが導電性部材により接触する自動原稿搬送装置１である。【選択図】図１
2005099601.tif 000002
【特許請求の範囲】
【請求項１】
セットした原稿を所定位置に搬送して排出する自動原稿搬送装置であって、該自動原稿搬送装置は、画像形成装置本体上面に、該上面の一端面を支点として画像形成装置上面に対し開閉自在に設置され、前記自動原稿装置フレームの一部には導電性部材が設けられ、閉時に前記自動原稿装置フレームの一部と画像形成装置上面フレームとが導電性部材により接触することを特徴とする自動原稿搬送装置。
【請求項２】
請求項１に記載の自動原稿搬送装置において、前記導電性部材は、前記自動原稿搬送装置開閉方向に対して変位可能な弾性体であることを特徴とする自動原稿搬送装置。
【請求項３】
請求項２に記載の自動原稿搬送装置において、前記弾性体は、圧縮コイルバネであることを特徴とする自動原稿搬送装置。
【請求項４】
請求項２に記載の自動原稿搬送装置において、前記弾性体は、板バネであることを特徴とする自動原稿搬送装置。
【請求項５】
請求項２に記載の自動原稿搬送装置において、前記弾性体は、導電性を有するスポンジ状もしくはゴム状のシール部材であることを特徴とする自動原稿搬送装置。
【請求項６】
原稿を読み取って画像を形成する画像形成装置において、該画像形成装置は、請求項１ないし５のいずれかに記載の自動原稿搬送装置と、前記自動原稿搬送装置で搬送した原稿を読み取る原稿読取装置と、読み取り情報に従って画像を形成する記録装置とを有することを特徴とする画像形成装置。
【発明の詳細な説明】
【技術分野】
【０００１】
本発明は、原稿載置台にセットした原稿を所定位置に搬送して排出する自動原稿搬送装置、及びこれを搭載する画像形成装置に関する。
【背景技術】
【０００２】
複写機やスキャナ等には、原稿載置台にセットされた複数枚の原稿を、原稿を読み取る原稿読取装置に供するために、自動的に１枚ずつ分離給紙する自動原稿搬送装置が備えられているものが多い。
原稿を読み取る方式としては、原稿読取装置上部のコンタクトガラス上の所定位置に原稿を搬送して、静置した原稿を原稿読取装置の走査体が移動して読み取る原稿固定方式と、走査体を原稿読取位置に固定して、その部分に原稿を通過させながら原稿を読み取る原稿搬送方式とがある。
【０００３】
原稿搬送方式の場合、原稿は自動原稿搬送装置内の原稿搬送路に設けられたプラスチック製のガイド板に強く摺動した状態で搬送されるため、ガイド板と紙との間で静電気が発生し原稿が帯電することによる、原稿搬送への支障が生じていた。そこで、ガイド板の一部を導電性を有する材料で構成し、ガイド板を装置のアースしたフレームに接続するようにしたり、駆動ローラ軸から導電性の部材を通じて除電するようにした自動原稿搬送装置が提案されている（例えば、特許文献１及び２参照。）。
【０００４】
一方、先に示したような、原稿固定方式の原稿読取装置に対応した自動原稿搬送装置の場合、原稿の搬送により生じた静電気への対策はあまりなされていない。自動原稿搬送装置は、例えば、画像形成装置本体上面に、該上面の一端面を支点として画像形成装置上面に対し開閉自在に設置されるが、この支点となる部分にヒンジを設け、ヒンジと装置本体が接触することにより、自動原稿搬送装置内で発生した静電気が本体側に流れるように構成されていた（例えば、特許文献３参照。）。
しかしながら、このヒンジのみでは静電気を除去する能力は乏しく、コンタクトガラスのような開口部からの電波放射や、自動原稿搬送装置の制御基板のＧＮＤの浮きにより、装置本体から供給される電源が電圧降下するといった問題が生じていた。
原稿固定方式
【０００５】
【特許文献１】特開２００１−３１２７７号公報
【特許文献２】特開２００１−２３３４８９号公報
【特許文献３】特開２０００−２３３８７４号公報
【発明の開示】
【発明が解決しようとする課題】
【０００６】
本発明は、上記問題点に鑑みてなされたものであり、その課題は、自動原稿搬送装置のＧＮＤを強化し、発生する静電気を効率よく除去して、コンタクトガラス等の開口部からの電波放射や、制御基板のＧＮＤの浮きによる電圧降下を防止した自動原稿搬送装置を提供することである。
【課題を解決するための手段】
【０００７】
上記課題を解決するために、本発明は以下のことを特徴とする。
１．本発明は、セットした原稿を所定位置に搬送して排出する自動原稿搬送装置であって、該自動原稿搬送装置は、画像形成装置本体上面に、該上面の一端面を支点として画像形成装置上面に対し開閉自在に設置され、前記自動原稿装置フレームの一部には導電性部材が設けられ、閉時に前記自動原稿装置フレームの一部と画像形成装置上面フレームとが導電性部材により接触する自動原稿搬送装置である。
【０００８】
２．前記導電性部材は、前記自動原稿搬送装置開閉方向に対して変位可能な弾性体であることを特徴とする。
３．さらに、前記弾性体は、圧縮コイルバネであることを特徴とする。
４．また、前記弾性体は、板バネであってもよい。
５．また、前記弾性体は、導電性を有するスポンジ状もしくはゴム状のシール部材であってもよい。
【０００９】
６．さらに、本発明は、原稿を読み取って画像を形成する画像形成装置において、請求項１ないし５のいずれかに記載の自動原稿搬送装置と、前記自動原稿搬送装置で搬送した原稿を読み取る原稿読取装置と、読み取り情報に従って画像を形成する記録装置とを有する画像形成装置である。
【発明の効果】
【００１０】
本発明によれば、画像形成装置本体に装着された自動原稿搬送装置の開閉の支点となるヒンジだけでなく、自動原稿搬送装置フレームと画像形成装置上面フレームとを導電性部材により接触させてＧＮＤの強化を図り、コンタクトガラス等の開口部からの電波放射や、制御基板のＧＮＤの浮きによる電圧降下を防止した自動原稿搬送装置を提供することができる。さらには、当該自動原稿搬送装置を装着し、安定した原稿搬送性能により画像を形成することができる画像形成装置を提供することができる。
【発明を実施するための最良の形態】
【００１１】
以下に、本発明の実施の形態を図面に基づいて説明する。
図１は、本発明に係る自動原稿搬送装置と画像形成装置の要部の構成を示す斜視図である。自動原稿搬送装置１は、画像形成装置２本体の上面に設けられたコンタクトガラス５の上部に設置されている。この自動原稿搬送装置１は、原稿を原稿載置台にセットすると、自動的に１枚ずつ分離、給紙し、コンタクトガラス５の所定位置まで図示しない搬送ベルトにより搬送する構成となっている。そして、コンタクトガラス５上に静置された原稿を、コンタクトガラス５下方に設けられている図示しない原稿読取装置が読み取ると、搬送ベルトにより排紙する構成となっている。
自動原稿搬送装置１と画像形成装置本体２とは、ヒンジ３により接続されており、このヒンジ３を軸として自動原稿搬送装置１を開閉することができる。そして、自動原稿搬送装置１が開の状態では、自動原稿搬送装置１の筐体と画像形成装置２の筐体との接触はこのヒンジ３のみである。
【００１２】
本発明の自動原稿搬送装置１は、ヒンジ３の他に、自動原稿搬送装置フレームの一部に導電性部材４ａを設けている。導電性部材４ａは、ヒンジ３以外のいずれの場所に設けるものであっても良いが、特に、ヒンジ３から離れた場所であることが効果的であり、図１に示すように自動原稿搬送装置１が開閉する側のフレームの一部に設けるのがよい。そして、自動原稿搬送を行う自動原稿搬送装置１が閉時に、画像形成装置２上面フレームに設けられた導電性部材４ｂに接触して、画像形成装置２本体を伝わってアースされる構成とする。これにより、自動原稿搬送装置内に発生する静電気のＧＮＤの強化が図られ、コンタクトガラス５等の開口部からの電波放射や、図示しない制御基板のＧＮＤの浮きによる電圧降下を防止することができる。
【００１３】
導電性部材４ａは、自動原稿搬送装置１開閉方向に対して変位可能な弾性体からなることが好ましい。このような弾性体を用いることにより、自動原稿搬送装置１の浮きを防止することができる。
【００１４】
次に、導電性部材４ａの詳細な構成を図２〜図４を参照して説明する。
図２は、導電性部材４ａとして、圧縮コイルバネ４１を用いた例を示す図である。図２−１は自動原稿搬送装置１が閉じられている状態、図２−２は自動原稿搬送装置１が開いている状態を示している。
自動原稿搬送装置１が閉時は、図２−１のように、自動原稿搬送装置フレーム１１が圧縮バネ４１から軸４２を通じて画像形成装置上面フレーム２１と接触する。圧縮バネ４１、軸４２とも導電性部材からなる。また、画像形成装置上面フレーム２１の軸４２が接触する部分も導電性部材からなっており、画像形成装置２本体のアースに接続されている。
自動原稿搬送装置１が開時は、図２−２のように、軸４２が画像形成装置上面フレーム２１から離れる。このとき、圧縮バネ４１の伸縮によって軸４２が動くが、Ｅリング４３がストッパの役目を果たすようになっている。
【００１５】
図３は、導電性部材４ａとして、板バネ４４を用いた例を示す図である。図３−１は自動原稿搬送装置１が閉じられている状態、図３−２は自動原稿搬送装置１が開いている状態を示している。
自動原稿搬送装置１が閉時は、図３−１のように、自動原稿搬送装置フレーム１１に設けられた板バネ４４ａと、画像形成装置上面フレーム２１に設けられた板バネ４４ｂとが接触する構成となっている。そして、板バネ４４ｂを介し、画像形成装置２本体のアースに接続する構成となっている。
自動原稿搬送装置１が開時は、図３−２のように、板バネ４４ａと板バネ４４ｂとが離れる。
【００１６】
図４は、導電性部材４ａとして、スポンジ状もしくはゴム状のシール部材（ガスケット）４５を用いた例を示す図である。図４−１は自動原稿搬送装置１が閉じられている状態、図４−２は自動原稿搬送装置１が開いている状態を示している。
自動原稿搬送装置１が閉時は、図４−１のように、自動原稿搬送装置フレーム１１に設けられたガスケット４５ａと、画像形成装置上面フレーム２１に設けられたガスケット４４ｂとが接触する構成となっている。そして、ガスケット４４ｂを介し、画像形成装置２本体のアースに接続する構成となっている。
自動原稿搬送装置１が開時は、図４−２のように、ガスケット４４ａとガスケット４４ｂとが離れる。
【００１７】
本発明の画像形成装置は、図１に示すように、上記の構成からなる自動原稿搬送装置１を備え、この自動原稿搬送装置１により所定位置に搬送されてくる原稿を読み取る原稿読取装置と、読み取り情報に従って画像を形成する記録装置とを備えてなる。本発明の画像形成装置により、安定した原稿搬送性能が得られ、安定した画像を形成することができる。
【図面の簡単な説明】
【００１８】
【図１】本発明に係る自動原稿搬送装置と画像形成装置の要部の構成を示す斜視図である。
【図２】導電性部材として、圧縮コイルバネ４１を用いた例を示す図であり、図２−１は自動原稿搬送装置１が閉じられている状態、図２−２は自動原稿搬送装置１が開いている状態を示している。
【図３】導電性部材として、板バネ４４を用いた例を示す図であり、図３−１は自動原稿搬送装置１が閉じられている状態、図３−２は自動原稿搬送装置１が開いている状態を示している。
【図４】導電性部材として、スポンジ状もしくはゴム状のシール部材（ガスケット）４５を用いた例を示す図であり、図４−１は自動原稿搬送装置１が閉じられている状態、図４−２は自動原稿搬送装置１が開いている状態を示している。
【符号の説明】
【００１９】
１  自動原稿搬送装置
１１  自動原稿搬送装置フレーム
２  画像形成装置
２１  画像形成装置上面フレーム
３  ヒンジ
４  導電性部材
４１  圧縮バネ
４４  板バネ
４５  導電性スポンジ状又はゴム状シール部材（ガスケット）
【図１】
2005099601.tif 000003
【図２−１】
2005099601.tif 000004
【図２−２】
2005099601.tif 000005
【図３−１】
2005099601.tif 000006
【図３−２】
2005099601.tif 000007
【図４−１】
2005099601.tif 000008
【図４−２】
2005099601.tif 000009